(57)【要約】【課題】確実な改質とアノード酸化劣化防止が可能な間接内部改質型ＳＯＦＣの停止方法を提供する。【解決手段】アノード温度が酸化劣化点以上の間、Ａ）ＦｋＣＡＬＣを算出してＦｋＥと比較し、Ｂ）ＡでＦｋＣＡＬＣ＜ＦｋＥならＢ１〜Ｂ４を行ない、Ｂ１）改質触媒層を昇温し、Ｂ２）ＦｋＣＡＬＣを算出してＦｋＥと比較し、Ｂ３）Ｂ２でＦｋＣＡＬＣ＜ＦｋＥならＢ１に戻り、Ｂ４）そうでなければ改質器への供給燃料流量ＦｋをＦｋＥにしてＤに移り、Ｃ）ＡでＦｋＣＡＬＣ≧ＦｋＥならＣ１〜Ｃ３を行い、Ｃ１）ＦｋＣＡＬＣとＦｋＭｉｎＣＡＬＣを算出してＦｋＥと比較し、Ｃ２）Ｃ１でＦｋＭｉｎＣＡＬＣ＜ＦｋＥ＜ＦｋＣＡＬＣならＦｋをＦｋＭｉｎＣＡＬＣにしＣ１に戻り、Ｃ３）そうでなければＦｋをＦｋＥにしＤに移り、Ｄ）アノード温度が酸化劣化点を下回るのを待つ。ＦｋＥ等は明細書に定義される。【選択図】図６
2010153098.tif 000002
【特許請求の範囲】
【請求項１】
炭化水素系燃料を改質して改質ガスを製造する、改質触媒層を有する改質器と、
該改質ガスを用いて発電を行う固体酸化物形燃料電池と、
該固体酸化物燃料電池から排出されるアノードオフガスを燃焼させる燃焼領域と、
該改質器、固体酸化物形燃料電池および燃焼領域を収容する筐体と、を有する間接内部改質型固体酸化物形燃料電池の停止方法であって、
次の条件ｉからｉｖ、
ｉ）該固体酸化物燃料電池のアノード温度が定常であり、
ｉｉ）該アノード温度が酸化劣化点未満であり、
ｉｉｉ）改質器において、炭化水素系燃料が改質され、アノードに供給するのに適した組成の改質ガスが生成しており、
ｉｖ）前記改質ガスの生成量が、該固体酸化物燃料電池のアノード温度が酸化劣化点以上の温度にある場合においてアノードの酸化劣化を防止するために必要最小限な流量ＦｒＭｉｎ以上である、
が全て満たされる状態において改質器に供給される炭化水素系燃料の流量をＦｋＥとし、
該停止方法開始時点で改質器に供給していた炭化水素系燃料の流量をＦｋ０とし、
測定された改質触媒層の温度において、停止方法開始後に行う種類の改質法により改質可能な炭化水素系燃料の流量の計算値をＦｋＣＡＬＣと表したとき、
アノード温度が酸化劣化点を下回ったら改質器への炭化水素系燃料の供給を停止して該停止方法を終了し、
アノード温度が酸化劣化点を下回っていない間に以下の工程、
Ａ）改質触媒層温度を測定し、この測定温度を用いてＦｋＣＡＬＣを算出し、このＦｋＣＡＬＣとＦｋＥの値を比較する工程、
Ｂ）工程ＡにおいてＦｋＣＡＬＣ＜ＦｋＥの場合に、次の工程Ｂ１〜Ｂ４を順次行なう工程、
Ｂ１）改質触媒層を昇温する工程、
Ｂ２）改質触媒層温度を測定し、この測定温度を用いてＦｋＣＡＬＣを算出し、このＦｋＣＡＬＣとＦｋＥの値を比較する工程、
Ｂ３）工程Ｂ２においてＦｋＣＡＬＣ＜ＦｋＥの場合に、工程Ｂ１に戻る工程、
Ｂ４）工程Ｂ２においてＦｋＣＡＬＣ≧ＦｋＥの場合に、改質器に供給する炭化水素系燃料の流量をＦｋ０からＦｋＥにし、工程Ｄに移る工程、
Ｃ）工程ＡにおいてＦｋＣＡＬＣ≧ＦｋＥの場合に、次の工程Ｃ１〜Ｃ３を順次行なう工程、
Ｃ１）改質触媒層温度を測定し、この測定温度を用いてＦｋＣＡＬＣおよび流量がＦｒＭｉｎである改質ガスを改質器で生成可能な炭化水素系燃料の流量ＦｋＭｉｎＣＡＬＣを算出し、このＦｋＭｉｎＣＡＬＣとＦｋＥとの値を比較するとともにＦｋＣＡＬＣとＦｋＥの値を比較する工程、
Ｃ２）工程Ｃ１においてＦｋＭｉｎＣＡＬＣ＜ＦｋＥ＜ＦｋＣＡＬＣの場合に、改質器に供給する炭化水素系燃料の流量をＦｋＭｉｎＣＡＬＣにし、工程Ｃ１に戻る工程、
Ｃ３）工程Ｃ１において、ＦｋＣＡＬＣ≦ＦｋＥ、および、ＦｋＥ≦ＦｋＭｉｎＣＡＬＣの少なくとも一方が成り立つ場合に、改質器に供給する炭化水素系燃料の流量をＦｋＥにし、工程Ｄに移る工程、
Ｄ）アノード温度が、酸化劣化点を下回るのを待つ工程
を有する、
間接内部改質型固体酸化物形燃料電池の停止方法。
【請求項２】
前記炭化水素系燃料が、炭素数が２以上の炭化水素系燃料を含む請求項１記載の方法。
【請求項３】
前記改質ガス中の、炭素数２以上の化合物の濃度が、質量基準で５０ｐｐｂ以下である請求項２記載の方法。
【発明の詳細な説明】
【技術分野】
【０００１】
本発明は、改質器を燃料電池近傍に有する間接内部改質型固体酸化物形燃料電池の停止方法に関する。
【背景技術】
【０００２】
固体酸化物電解質形燃料電池（Ｓｏｌｉｄ  Ｏｘｉｄｅ  Ｆｕｅｌ  Ｃｅｌｌ。以下場合によりＳＯＦＣという。）システムには、通常、灯油や都市ガスなどの炭化水素系燃料を改質して水素含有ガスとして改質ガスを発生させるための改質器と、改質ガスと空気を電気化学的に発電反応させるためのＳＯＦＣが含まれる。
【０００３】
ＳＯＦＣは通常、５５０〜１０００℃の高温で作動させる。
【０００４】
改質には水蒸気改質（ＳＲ）、部分酸化改質（ＰＯＸ）、自己熱改質（ＡＴＲ）など種々の反応が利用されるが、改質触媒を用いるためには、触媒活性が発現する温度に加熱する必要がある。
【０００５】
水蒸気改質は非常に大きな吸熱反応であり、また、反応温度が５５０〜７５０℃と比較的高く、高温の熱源を必要とする。そのため、ＳＯＦＣの近傍に改質器（内部改質器）を設置し、ＳＯＦＣからの輻射熱やＳＯＦＣのアノードオフガス（アノードから排出されるガス）の燃焼熱を熱源として改質器を加熱する間接内部改質型ＳＯＦＣが知られている（特許文献１）。
【０００６】
また、発電停止の際に、燃料電池に水、および水素または炭化水素系燃料の流量を減少させながら供給することにより、燃料極層側を還元状態に保持しつつ、スタック温度を低下させる燃料電池の運転停止方法が特許文献２に開示される。
【特許文献１】特開２００４−３１９４２０号公報
【特許文献２】特開２００６−２９４５０８号公報
【発明の開示】
【発明が解決しようとする課題】
【０００７】
特許文献２記載の方法を利用すれば、燃料電池の停止時にアノードを還元雰囲気に保持することができ、アノードの酸化劣化を防止することができると考えられる。
【０００８】
しかし、特許文献２記載の方法では、炭化水素系燃料を改質して得られる水素含有ガスを用いてＳＯＦＣアノードを還元状態に保持する場合に、確実な改質が担保されていない。つまり、未改質の炭化水素系燃料が改質器から排出され、アノードに流入するおそれがある。
【０００９】
特に、灯油のような高次炭化水素を用いる場合、改質器から高次炭化水素がリークしてＳＯＦＣに流入すると、炭素析出によってＳＯＦＣの性能が劣化することがある。
【００１０】
本発明の目的は、炭化水素系燃料を確実に改質しつつ、改質ガスによってアノードの酸化劣化を防止することができる間接内部改質型ＳＯＦＣの停止方法を提供することである。
【課題を解決するための手段】
【００１１】
本発明により、
炭化水素系燃料を改質して改質ガスを製造する、改質触媒層を有する改質器と、
該改質ガスを用いて発電を行う固体酸化物形燃料電池と、
該固体酸化物燃料電池から排出されるアノードオフガスを燃焼させる燃焼領域と、
該改質器、固体酸化物形燃料電池および燃焼領域を収容する筐体と、を有する間接内部改質型固体酸化物形燃料電池の停止方法であって、
次の条件ｉからｉｖ、
ｉ）該固体酸化物燃料電池のアノード温度が定常であり、
ｉｉ）該アノード温度が酸化劣化点未満であり、
ｉｉｉ）改質器において、炭化水素系燃料が改質され、アノードに供給するのに適した組成の改質ガスが生成しており、
ｉｖ）前記改質ガスの生成量が、該固体酸化物燃料電池のアノード温度が酸化劣化点以上の温度にある場合においてアノードの酸化劣化を防止するために必要最小限な流量ＦｒＭｉｎ以上である、
が全て満たされる状態において改質器に供給される炭化水素系燃料の流量をＦｋＥとし、
該停止方法開始時点で改質器に供給していた炭化水素系燃料の流量をＦｋ０とし、
測定された改質触媒層の温度において、停止方法開始後に行う種類の改質法により改質可能な炭化水素系燃料の流量の計算値をＦｋＣＡＬＣと表したとき、
アノード温度が酸化劣化点を下回ったら改質器への炭化水素系燃料の供給を停止して該停止方法を終了し、
アノード温度が酸化劣化点を下回っていない間に以下の工程、
Ａ）改質触媒層温度を測定し、この測定温度を用いてＦｋＣＡＬＣを算出し、このＦｋＣＡＬＣとＦｋＥの値を比較する工程、
Ｂ）工程ＡにおいてＦｋＣＡＬＣ＜ＦｋＥの場合に、次の工程Ｂ１〜Ｂ４を順次行なう工程、
Ｂ１）改質触媒層を昇温する工程、
Ｂ２）改質触媒層温度を測定し、この測定温度を用いてＦｋＣＡＬＣを算出し、このＦｋＣＡＬＣとＦｋＥの値を比較する工程、
Ｂ３）工程Ｂ２においてＦｋＣＡＬＣ＜ＦｋＥの場合に、工程Ｂ１に戻る工程、
Ｂ４）工程Ｂ２においてＦｋＣＡＬＣ≧ＦｋＥの場合に、改質器に供給する炭化水素系燃料の流量をＦｋ０からＦｋＥにし、工程Ｄに移る工程、
Ｃ）工程ＡにおいてＦｋＣＡＬＣ≧ＦｋＥの場合に、次の工程Ｃ１〜Ｃ３を順次行なう工程、
Ｃ１）改質触媒層温度を測定し、この測定温度を用いてＦｋＣＡＬＣおよび流量がＦｒＭｉｎである改質ガスを改質器で生成可能な炭化水素系燃料の流量ＦｋＭｉｎＣＡＬＣを算出し、このＦｋＭｉｎＣＡＬＣとＦｋＥとの値を比較するとともにＦｋＣＡＬＣとＦｋＥの値を比較する工程、
Ｃ２）工程Ｃ１においてＦｋＭｉｎＣＡＬＣ＜ＦｋＥ＜ＦｋＣＡＬＣの場合に、改質器に供給する炭化水素系燃料の流量をＦｋＭｉｎＣＡＬＣにし、工程Ｃ１に戻る工程、
Ｃ３）工程Ｃ１において、ＦｋＣＡＬＣ≦ＦｋＥ、および、ＦｋＥ≦ＦｋＭｉｎＣＡＬＣの少なくとも一方が成り立つ場合に、改質器に供給する炭化水素系燃料の流量をＦｋＥにし、工程Ｄに移る工程、
Ｄ）アノード温度が、酸化劣化点を下回るのを待つ工程
を有する、
間接内部改質型固体酸化物形燃料電池の停止方法
が提供される。
【００１２】
前記炭化水素系燃料が、炭素数が２以上の炭化水素系燃料を含むことができる。
【００１３】
この場合、前記改質ガス中の、炭素数２以上の化合物の濃度が、質量基準で５０ｐｐｂ以下であることが好ましい。
【発明の効果】
【００１４】
本発明により、炭化水素系燃料を確実に改質しつつ、改質ガスによってアノードの酸化劣化を防止することができる間接内部改質型ＳＯＦＣの停止方法が提供される。
【発明を実施するための最良の形態】
【００１５】
以下、図面を用いて本発明の形態について説明するが、本発明はこれによって限定されるものではない。
【００１６】
〔間接内部改質型ＳＯＦＣ〕
図１に、本発明を実施することのできる間接内部改質型ＳＯＦＣの一形態を模式的に示す。
【００１７】
間接内部改質型ＳＯＦＣは、炭化水素系燃料を改質して改質ガス（水素含有ガス）を製造する改質器３を有する。改質器は、改質触媒層４を有する。
【００１８】
間接内部改質型ＳＯＦＣは、上記改質ガスを用いて発電を行うＳＯＦＣ６を有し、また、ＳＯＦＣ（特にはそのアノード）から排出されるアノードオフガスを燃焼させる燃焼領域５を有する。
【００１９】
間接内部改質型ＳＯＦＣは、改質器、固体酸化物形燃料電池および燃焼領域を収容する筐体８を有する。
【００２０】
間接内部改質型ＳＯＦＣは、筐体（モジュール容器）８およびその内部に含まれる設備をいう。
【００２１】
図１に示した形態の間接内部改質型ＳＯＦＣでは、アノードオフガスに着火するための着火手段であるイグナイター７が設けられており、また、改質器は電気ヒータ９を備える。
【００２２】
各供給ガスは必要に応じて適宜予熱されたうえで改質器もしくはＳＯＦＣに供給される。
【００２３】
間接内部改質型ＳＯＦＣには、電気ヒータ２を備える水気化器１が接続され、その接続配管の途中に炭化水素系燃料を改質器に供給するための配管が接続される。水気化器１は電気ヒータ２による加熱によって水蒸気を発生する。水蒸気は水気化器においてもしくはその下流において適宜スーパーヒートしたうえで改質触媒層に供給することができる。
【００２４】
また空気も改質触媒層に供給されるが、ここでは、空気を水気化器で予熱したうえで改質触媒層に供給できるようになっている。水気化器からは、水蒸気を得ることができ、また空気と水蒸気との混合ガスを得ることができる。
【００２５】
水蒸気または空気と水蒸気との混合ガスは、炭化水素系燃料と混合されて改質器３、特にはその改質触媒層４に供給される。炭化水素系燃料として灯油等の液体燃料を用いる場合は、炭化水素系燃料を適宜気化したうえで改質触媒層に供給することができる。
【００２６】
改質器から得られる改質ガスがＳＯＦＣ６、特にはそのアノードに供給される。図示しないが、空気が適宜予熱されてＳＯＦＣのカソードに供給される。
【００２７】
アノードオフガス（アノードから排出されるガス）中の可燃分がＳＯＦＣ出口において、カソードオフガス（カソードから排出されるガス）中の酸素によって燃焼される。このために、イグナイター７を用いて着火することができる。アノード、カソードともその出口がモジュール容器８内に開口している。燃焼ガスは、モジュール容器から適宜排出される。
【００２８】
改質器とＳＯＦＣが一つのモジュール容器に収容されモジュール化される。改質器はＳＯＦＣから受熱可能な位置に配される。例えば改質器をＳＯＦＣからの熱輻射を受ける位置に配置すれば、発電時にＳＯＦＣからの熱輻射によって改質器が加熱される。
【００２９】
間接内部改質型ＳＯＦＣにおいて、改質器は、ＳＯＦＣから改質器の外表面へと直接輻射伝熱可能な位置に配することが好ましい。従って改質器とＳＯＦＣとの間には実質的に遮蔽物は配置しないこと、つまり改質器とＳＯＦＣとの間は空隙にすることが好ましい。また、改質器とＳＯＦＣとの距離は極力短くすることが好ましい。
【００３０】
燃焼領域５において発生するアノードオフガスの燃焼熱によって、改質器３が加熱される。また、ＳＯＦＣが改質器より高温である場合には、ＳＯＦＣからの輻射熱によっても改質器が加熱される。
【００３１】
さらに、改質による発熱によって改質器が加熱される場合もある。改質が部分酸化改質である場合、あるいは自己熱改質（オートサーマルリフォーミング）の場合であって水蒸気改質反応による吸熱より部分酸化改質反応による発熱の方が大きい場合、改質に伴って発熱する。
【００３２】
〔改質停止可能状態〕
本明細書において、次の条件ｉ〜ｉｖの全てが満たされている状態を改質停止可能状態と呼ぶ。
ｉ）ＳＯＦＣのアノード温度が定常である。
ｉｉ）前記アノード温度が酸化劣化点未満である。
ｉｉｉ）改質器において、アノードに供給するのに適した組成の改質ガスが生成している。
ｉｖ）この改質ガスの生成量が、ＳＯＦＣのアノード温度が酸化劣化点以上の温度にある場合においてアノードの酸化劣化を防止するために必要最小限な流量ＦｒＭｉｎ以上である。
【００３３】
＜条件ｉおよびｉｉ＞
アノード温度は、アノード電極の温度を意味するが、アノード電極の温度を物理的に直接測定することが困難な場合には、アノード近傍のセパレータなどのスタック構成部材の温度とすることができる。アノード温度の測定位置は、安全制御の観点から相対的に温度が高くなる箇所、より好ましくは最も温度が高くなる箇所を採用することが好ましい。温度が高くなる位置は、予備実験やシミュレーションにより知ることができる。
【００３４】
酸化劣化点は、アノードが酸化劣化する温度で、例えば、アノード材料の電気伝導度を還元性、または、酸化性ガス雰囲気下で温度を変えて直流４端子法で測定し、酸化性ガス雰囲気下での電気伝導度が還元性ガス雰囲気下での値より低くなる最低温度を酸化劣化点とすることができる。
【００３５】
＜条件ｉｉｉ＞
条件ｉｉｉは、改質器において炭化水素系燃料が改質されており、アノードに供給するのに適した組成の改質ガスが得られている状態であることを意味している。例えば、炭化水素系燃料が炭素数２以上の炭化水素系燃料を含む場合、改質ガスが還元性であるとともに、改質ガス中のＣ２＋成分（炭素数２以上の化合物）が炭素析出による流路閉塞やアノード劣化に対して問題にならない濃度以下である状態であることを意味している。このときのＣ２＋成分の濃度は、改質ガス中の質量分率として５０ｐｐｂ以下が好ましい。
【００３６】
＜条件ｉｖ＞
アノードの酸化劣化を防止するために必要最小限の改質ガス流量ＦｒＭｉｎは、カソードオフガスのアノード出口からアノード内部への拡散によりアノード電極が酸化劣化しない流量のうち最も小さい流量である。この改質ガス流量は、アノード温度を酸化劣化点以上に保持した状態で、改質ガス流量を変えて実験やシミュレーションを行い、予め知っておくことができる。
【００３７】
アノード酸化劣化は、例えば、実験でアノード電極の電気伝導度を測定し、酸化劣化していないアノード電極との比較により判断することができる。あるいは、移流拡散項を含む方程式を用いたシミュレーションによりアノードのガス組成分圧を計算し、アノード電極の酸化反応における平衡分圧との比較により判断することができる。例えば、アノード電極材料がＮｉの場合、次式で表されるアノード電極酸化反応における酸素の平衡分圧は８００℃において１．２×１０-14ａｔｍ（１．２×１０-9Ｐａ）であり、この値よりアノードの酸素分圧の計算値が小さければ、アノード電極が酸化劣化しないと判断することができる。アノード温度が８００℃以外の場合でも、平衡計算によりアノード電極が酸化劣化しない酸素分圧の最大値を知ることができ、その値よりアノードの酸素分圧の計算値が小さければ、アノード電極が酸化劣化しないと判断することができる。
【００３８】
【化１】
2010153098.tif 000003
【００３９】
アノードの酸化劣化を防止するためにＳＯＦＣに供給する改質ガス流量（改質器で生成する改質ガスの量）は、改質ガスがＳＯＦＣを通過してアノードから排出された段階で燃焼可能であるような流量であるのが好ましい。燃焼可能な改質ガス流量のうち最も小さい流量が上記必要最小限の改質ガス流量より大きい場合、燃焼可能な改質ガス流量のうち最も小さい流量を、条件ｉｖでいう「必要最小限の流量以上」の改質ガス流量とすることができる。燃焼可否は、例えば、燃焼ガス排出ライン中のガスを実験でサンプリングし組成分析を行う、あるいはシミュレーションで計算することで判断できる。
【００４０】
改質停止可能状態において改質器（特には改質触媒層）に供給される炭化水素系燃料の流量をＦｋＥと表す。
【００４１】
ＦｋＥは、予め、実験もしくはシミュレーションによって求めることができる。改質器に供給する水蒸気改質または自己熱改質用の水（スチームを含む）流量、自己熱改質または部分酸化改質用の空気流量、カソード空気流量、バーナーに供給する燃料および空気流量、熱交換器に供給する水や空気などの流体の流量などの、間接内部改質型ＳＯＦＣに供給する流体の流量；ならびに改質器、水や液体燃料の蒸発器、ＳＯＦＣ、流体の供給配管などを加熱するための電気ヒータ出力、熱電変換モジュールなどから取り出される電気入力等の間接内部改質型ＳＯＦＣへの電気入出力を変化させて、すなわち間接内部改質型ＳＯＦＣの操作条件を変化させて、実験もしくはシミュレーションを行い、定常的に条件ｉ〜ｉｖを満たすＦｋＥを探索することによって、ＦｋＥを知ることができる。ＦｋＥは条件ｉ〜ｉｖを満たす限り任意の値でよいが、熱効率の観点から最も小さいＦｋＥを用いるのが好ましい。そのＦｋＥを含む間接内部改質型ＳＯＦＣの操作条件を改質停止可能状態の操作条件として予め定める。
【００４２】
停止方法開始時点で改質器に供給していた炭化水素系燃料の流量をＦｋ０と表す。
【００４３】
測定された改質触媒層温度において停止方法開始後に行う種類の改質法によって改質可能な炭化水素系燃料の流量（以下場合により、この流量を「改質可能流量」と称す。）の計算値をＦｋＣＡＬＣと表す。つまり、ＦｋＣＡＬＣは、改質触媒層の温度を測定し、改質触媒層がその温度である場合に、改質触媒層で改質可能な炭化水素系燃料の流量を計算することによって求めることができる。このとき、改質触媒層では停止方法開始後に行なう種類の改質法を行なうものとする（以下場合により、改質法の種類を、改質タイプとよぶ。）。改質タイプは、例えば水蒸気改質、自己熱改質、部分酸化改質である。
【００４４】
具体的には、停止方法の開始前に或る種類の改質を行なっていた場合に、それと同じ種類の改質を停止方法の開始後に行なうことができる。この場合は、改質器でその種類の改質を行なう場合の、改質可能な炭化水素系燃料の流量（計算値）をＦｋＣＡＬＣとする。例えば停止方法の開始前に水蒸気改質を行なっていた場合に、停止方法の開始後にも引き続き水蒸気改質を行なうことができ、改質器で水蒸気改質を行なう場合に、改質触媒層測定温度において改質可能な炭化水素系燃料の流量をＦｋＣＡＬＣとする。
【００４５】
あるいは、停止方法の開始前に或る種類の改質（第一の種類の改質）を行なっていた場合に、それと異なる種類の改質（第二の種類の改質）を停止方法の開始後に行なうことができる。この場合は、改質器で第二の種類の改質を行なう場合の、改質可能な炭化水素系燃料の流量をＦｋＣＡＬＣとする。例えば停止方法の開始前に自己熱改質を行なっていた場合に、停止方法の開始後に水蒸気改質に切り替えることができる。このとき、水蒸気改質を行なう場合に、改質触媒層測定温度において改質可能な炭化水素系燃料の流量（計算値）をＦｋＣＡＬＣとする。
【００４６】
なお、停止方法の開始前後で改質タイプを変更する場合、前述のＦｋＥは改質タイプ変更後の改質を行う場合の停止可能状態について決定される。また、前述のＦｒＭｉｎは改質タイプ変更後の改質を行う場合の停止可能状態について決定される。
【００４７】
ＦｋＣＡＬＣの算出には、改質触媒層温度の測定値を用いる。このために、改質触媒層温度を測定する。例えば、改質触媒層温度を監視する（継続して測定する）ことができる。
【００４８】
停止方法開始より前から改質触媒層の温度監視を行なっている場合は、そのまま継続して温度監視を行なえばよい。
【００４９】
アノード温度が酸化劣化点を下回ってしまえば、還元性ガスは不要となるので、改質器への炭化水素系燃料の供給を停止し、停止方法を終了することができる。したがって、改質触媒層の温度監視はアノード温度が酸化劣化点を下回るまで継続して行なえばよい。
【００５０】
改質触媒層温度の測定のために、熱電対等の適宜の温度センサーを用いることができる。
【００５１】
本発明においては、アノード温度が酸化劣化点を下回っていない間に以下の工程Ａ〜Ｄを行なう。アノード温度が酸化劣化点を下回ったら、工程Ａ〜Ｄの実施状況にかかわらず、改質器への炭化水素系燃料の供給を停止し、停止方法を終了することができる。改質器への炭化水素系燃料の供給停止にあわせて、改質器に供給する水蒸気改質または自己熱改質用の水（スチームを含む）、自己熱改質または部分酸化改質用の空気、カソード空気、バーナーに供給する燃料および空気、熱交換器に供給する水や空気などの流体などの、間接内部改質型ＳＯＦＣに供給する流体の供給、改質器および水や液体燃料の蒸発器、セルスタック、流体の供給配管などを加熱するための電気ヒータ出力、熱電変換モジュールなどから取り出される電気入力などの、間接内部改質型ＳＯＦＣへの電気の入出力を停止することができる。
【００５２】
図６は本発明の停止方法における工程Ａ〜Ｄを示すフローチャートである。このフローチャートに示した手順とは別に、アノード温度を監視し、アノード温度がアノードの酸化劣化点を下回った場合には、工程Ａ〜Ｄに係わらず、改質器への炭化水素系燃料の供給を停止する。
【００５３】
なお、停止方法は工程Ａ〜Ｄを有するが、工程Ａ〜Ｄの全てを実際に行なう必要はなく、場合によって工程Ａ〜Ｄの一部を行なえばよい。
【００５４】
〔工程Ａ〕
本発明に係る停止方法において、まず改質触媒層温度Ｔを測定する。そして、この温度Ｔに基づいて改質可能流量ＦｋＣＡＬＣを算出する。さらに、前述の改質停止可能状態における炭化水素系燃料の改質器への供給流量ＦｋＥと、このＦｋＣＡＬＣとの大小関係を調べる。
【００５５】
〔工程Ｂ〕
工程Ａにおいて、ＦｋＣＡＬＣ＜ＦｋＥの場合、次の工程Ｂ１〜Ｂ４を順次行なう。なお、「ＦｋＣＡＬＣ＜ＦｋＥ」は、流量がＦｋＥである炭化水素系燃料を、改質器において（改質タイプを変更する場合は変更後の改質タイプによって）改質できないことを意味している。
【００５６】
・工程Ｂ１
まず工程Ｂ１を行なう。すなわち、改質触媒層を昇温する工程を行なう。
【００５７】
例えば改質器に付設したヒータやバーナなどの適宜の熱源を用い、改質触媒層を昇温する。
【００５８】
・工程Ｂ２
そして、工程Ｂ２を行なう。すなわち、改質触媒層温度Ｔを測定し、このＴを用いてＦｋＣＡＬＣを算出し、このＦｋＣＡＬＣとＦｋＥの値を比較する工程を行なう。
【００５９】
・工程Ｂ３
工程Ｂ２においてＦｋＣＡＬＣ＜ＦｋＥの場合には、工程Ｂ１に戻る工程を行なう。つまり、ＦｋＣＡＬＣ＜ＦｋＥとなる間は、工程Ｂ１〜Ｂ３を繰り返して行なう。この間に改質触媒層の温度は上昇してゆく。
【００６０】
・工程Ｂ４
工程Ｂ２においてＦｋＣＡＬＣ≧ＦｋＥの場合には、改質器に供給する炭化水素系燃料の流量（Ｆｋと表す）をＦｋ０からＦｋＥにし、工程Ｄに移る工程を行なう。「ＦｋＣＡＬＣ≧ＦｋＥ」は、流量がＦｋＥである炭化水素系燃料を改質触媒層において（改質タイプを変更する場合は変更後の改質タイプによって）改質可能であることを意味する。
【００６１】
このとき、停止方法開始前後で改質タイプを変更する場合は、燃料流量をＦｋ０からＦｋＥにするとともに改質タイプを変更する。この方法により、炭化水素系燃料を確実に改質しつつ、改質ガスによってアノードの酸化劣化を防止することができる。
【００６２】
なお、工程Ｂ２およびＢ３を行なうにあたり、工程Ｂ１の昇温をいったん停止してもよいが、工程Ｂ２およびＢ３を行なう間、工程Ｂ１を継続してもよい。
【００６３】
〔工程Ｃ〕
工程Ａにおいて、ＦｋＣＡＬＣ≧ＦｋＥの場合、次の工程Ｃ１〜Ｃ３を順次行なう。なお、「ＦｋＣＡＬＣ≧ＦｋＥ」は、流量がＦｋＥである炭化水素系燃料を、改質器において（停止方法開始前後で改質タイプを変更する場合は変更後の改質タイプによって）改質できることを意味している。
【００６４】
・工程Ｃ１
まず、改質触媒層温度Ｔを測定し、このＴに基づいてＦｋＭｉｎＣＡＬＣおよびＦｋＣＡＬＣを算出し、このＦｋＭｉｎＣＡＬＣとＦｋＥの値を比較し、また、ＦｋＣＡＬＣとＦｋＥの値を比較する。
【００６５】
ここで、測定された改質触媒層温度において停止方法開始後に行う種類の改質法によって流量がＦｒＭｉｎである改質ガスを改質器で生成可能な炭化水素系燃料の流量の計算値をＦｋＭｉｎＣＡＬＣと表す。つまり、ＦｋＭｉｎＣＡＬＣは、改質触媒層の温度を測定し、改質触媒層がその温度である場合に、流量がＦｒＭｉｎである改質ガスを改質器で生成可能な炭化水素系燃料の流量を計算することによって求めることができる。このとき、改質触媒層では停止方法開始後に行なう種類の改質法を行なうものとする。改質タイプは、例えば水蒸気改質、自己熱改質、部分酸化改質である。
【００６６】
具体的には、停止方法の開始前に或る種類の改質を行なっていた場合に、それと同じ種類の改質を停止方法の開始後に行なうことができる。この場合は、改質器でその種類の改質を行なう場合の、流量がＦｒＭｉｎである改質ガスを改質器で生成可能な炭化水素系燃料の流量（計算値）をＦｋＭｉｎＣＡＬＣとする。例えば停止方法の開始前に水蒸気改質を行なっていた場合に、停止方法の開始後にも引き続き水蒸気改質を行なうことができ、改質器で水蒸気改質を行なう場合に、改質触媒層測定温度において流量がＦｒＭｉｎである改質ガスを改質器で生成可能な炭化水素系燃料の流量（計算値）をＦｋＭｉｎＣＡＬＣとする。
【００６７】
あるいは、停止方法の開始前に或る種類の改質（第一の種類の改質）を行なっていた場合に、それと異なる種類の改質（第二の種類の改質）を停止方法の開始後に行なうことができる。この場合は、改質器で第二の種類の改質を行なう場合の、流量がＦｒＭｉｎである改質ガスを改質器で生成可能な炭化水素系燃料の流量（計算値）をＦｋＭｉｎＣＡＬＣとする。例えば停止方法の開始前に自己熱改質を行なっていた場合に、停止方法の開始後に水蒸気改質に切り替えることができる。このとき、水蒸気改質を行なう場合に、改質触媒層測定温度において流量がＦｒＭｉｎである改質ガスを改質器で生成可能な炭化水素系燃料の流量（計算値）をＦｋＭｉｎＣＡＬＣとする。
【００６８】
・工程Ｃ２
工程Ｃ１においてＦｋＭｉｎＣＡＬＣ＜ＦｋＥ＜ＦｋＣＡＬＣの場合には、改質器に供給する炭化水素系燃料の流量をＦｋＭｉｎＣＡＬＣにし、工程Ｃ１に戻る工程を行なう。つまり、ＦｋＭｉｎＣＡＬＣ＜ＦｋＥ＜ＦｋＣＡＬＣとなる間は、工程Ｃ１〜Ｃ２を繰り返して行なう。停止方法開始前後で改質タイプを変更する場合は、最初に行う工程Ｃ２で、燃料流量をＦｋ０からＦｋＭｉｎＣＡＬＣにするとともに改質タイプを変更する。
【００６９】
工程Ｃ以降、流量がＦｒＭｉｎである改質ガスを改質器で生成可能な流量の炭化水素系燃料を改質可能な状態であって、かつその流量の炭化水素系燃料を供給している状態からであれば、操作条件を改質停止可能状態の操作条件にし、未改質炭化水素系燃料をアノードに流入させることなく改質停止可能状態に移行させることができる、しかし、一般に、改質に好ましい温度範囲では改質触媒層温度が高いほど改質ガス流量は大きいため、改質触媒層温度が改質停止可能状態における温度以上である間、流量がＦｒＭｉｎである改質ガスを改質器で生成可能な炭化水素系燃料の流量はＦｋＥ以下であるため、余分な炭化水素系燃料を必要とする。
【００７０】
一方、工程Ｃ以降、ＦｋＭｉｎＣＡＬＣの流量の炭化水素系燃料を改質器に供給することで炭化水素系燃料を必要最小限に抑えることができる。しかし、ＦｋＭｉｎＣＡＬＣの流量の炭化水素系燃料の供給を継続すると、改質触媒層温度の低下により、ＦｋＣＡＬＣ≦ＦｋＭｉｎＣＡＬＣとなる場合がある。ＦｋＣＡＬＣ≦ＦｋＭｉｎＣＡＬＣとなったとき、ＦｋＣＡＬＣ＜ＦｋＥであれば、操作条件を改質停止可能状態の操作条件にし、未改質炭化水素系燃料をアノードに流入させることなく改質停止可能状態に移行させることができない場合がある。また、ＦｋＣＡＬＣ≦ＦｋＭｉｎＣＡＬＣとなったとき、ＦｋＥ≦ＦｋＣＡＬＣであれば、操作条件を改質停止可能状態の操作条件にし、未改質炭化水素系燃料をアノードに流入させることなく改質停止可能状態に移行させることはできる。しかしこの場合、ＦｋＣＡＬＣ≦ＦｋＭｉｎＣＡＬＣとなる以前のＦｋＥ≦ＦｋＭｉｎＣＡＬＣとなったときに、操作条件を改質停止可能状態の操作条件にし、未改質炭化水素系燃料をアノードに流入させることなく改質停止可能状態に移行させることができていたことになるため、余分な炭化水素系燃料を供給していたこととなる。
【００７１】
したがって、ＦｋＣＡＬＣ≦ＦｋＥとなったら、操作条件を改質停止可能状態の操作条件にすることで、ＦｋＣＡＬＣ≦ＦｋＭｉｎＣＡＬＣとなるのを回避し、未改質炭化水素系燃料をアノードに流入させることなく改質停止可能状態に移行させることができる。
【００７２】
また、ＦｋＥ≦ＦｋＭｉｎＣＡＬＣとなったら、操作条件を改質停止可能状態の操作条件にすることで、改質器に供給する炭化水素系燃料を抑えつつ、未改質炭化水素系燃料をアノードに流入させることなく改質停止可能状態に移行させることができる。
【００７３】
上記、ＦｋＣＡＬＣ≦ＦｋＥ、および、ＦｋＥ≦ＦｋＭｉｎＣＡＬＣのいずれも成り立たない場合、すなわち、ＦｋＭｉｎＣＡＬＣ＜ＦｋＥ＜ＦｋＣＡＬＣである場合は、ＦｋＭｉｎＣＡＬＣの流量の炭化水素系燃料を改質器に供給することで炭化水素系燃料を必要最小限に抑えることができる。
【００７４】
・工程Ｃ３
工程Ｃ１において、ＦｋＣＡＬＣ≦ＦｋＥ、および、ＦｋＥ≦ＦｋＭｉｎＣＡＬＣの少なくとも一方が成り立つ場合には、改質器に供給する炭化水素系燃料の流量（Ｆｋと表す）をＦｋＥにし、工程Ｄに移る工程を行なう。
【００７５】
工程Ｃ１〜Ｃ２は、ＦｋＭｉｎＣＡＬＣがＦｋＥ以上になっておらず、かつ、ＦｋＣＡＬＣがＦｋＥ以下になっていない間、行なう。ＦｋＭｉｎＣＡＬＣがＦｋＥ以上になった後、または、ＦｋＣＡＬＣがＦｋＥ以下になった後には工程Ｃ３を行なう。ＦｋＣＡＬＣが一度ＦｋＥ以下となり、その後ＦｋＣＡＬＣが増えてＦｋＥを超える値になる場合もあり得る。このような場合でも、工程Ｃ１〜Ｃ２はＦｋＣＡＬＣが一度もＦｋＥ以下になっていない間行い、ＦｋＣＡＬＣが初めてＦｋＥ以下となった時点以降は工程Ｃ１〜Ｃ２は行なわない。
【００７６】
工程Ｃ３において、直ちにＦｋをＦｋＥにしてもよいし、あるいは、Ｆｋを徐々にＦｋＥにしてもよい（後述するケース３参照）。
【００７７】
停止方法開始前後で改質タイプを変更する場合で、工程Ｃ２を一度も行なわずに工程Ｃ３を行なう場合、すなわち最初に行う工程Ｃ１において、ＦｋＣＡＬＣ≦ＦｋＥ、および、ＦｋＥ≦ＦｋＭｉｎＣＡＬＣの少なくとも一方が成り立つ場合には、改質器に供給するＦｋをＦｋＥにするとともに改質タイプを変更し、工程Ｄに移る工程を行なう。
【００７８】
〔工程Ｄ〕
工程Ｄでは、アノード温度が、酸化劣化点を下回るのを待つ。この間、炭化水素系燃料の流量はＦｋＥに維持し、改質器に供給する水蒸気改質もしくは自己熱改質用の水（スチームを含む）流量、自己熱改質または部分酸化改質用の空気流量、カソード空気流量、バーナーに供給する燃料および空気流量、熱交換器に供給する水や空気などの流体の流量などの、間接内部改質型ＳＯＦＣに供給する流体の流量、改質器および水や液体燃料の蒸発器、セルスタック、流体の供給配管などを加熱するための電気ヒータ出力、熱電変換モジュールなどから取り出される電気入力などの、間接内部改質型ＳＯＦＣへの電気の入出力を、予め定めた改質停止可能状態における操作条件に維持する。すなわち、予め定めた改質停止可能状態における間接内部改質型ＳＯＦＣの操作条件に維持する。アノード温度は時間とともに低下していくので、いずれアノード温度が酸化劣化点を下回る。熱電対等の温度センサーを用いて、アノード温度を適宜監視する（継続して測定する）ことができる。
【００７９】
アノード温度の監視は、停止方法を開始してすぐに開始することが好ましい。停止方法開始前からこれらの温度監視を行っていれば、停止方法を行う際にも、そのまま温度監視を続ければよい。
【００８０】
アノード温度が酸化劣化点を下回ったら改質器への炭化水素系燃料の供給を停止して該停止方法を終了することができる。
【００８１】
〔ケース１〕
図２を用いて、本発明の停止方法の一例を説明する。図２（ａ）〜（ｃ）において、横軸は本発明の停止方法を開始した時点からの経過時間である。同図（ａ）において縦軸は改質器から得られる改質ガスの流量であり、（ｂ）において縦軸は温度であり、（ｃ）において縦軸は、炭化水素燃料の流量（改質器に供給する炭化水素系燃料の流量Ｆｋ、計算されたＦｋＣＡＬＣおよびＦｋＭｉｎＣＡＬＣ）である（以降の図においても同様である）。
【００８２】
改質触媒層温度の監視およびアノード温度の監視は、停止方法開始時点より前から継続して行なっている（以降のケースでも同様）。
【００８３】
図２に示すように、停止方法を開始して直ぐに、工程Ａを行なう。つまり、改質触媒層温度Ｔを測定し、このＴを用いて改質可能流量ＦｋＣＡＬＣを算出し、このＦｋＣＡＬＣとＦｋＥの値を比較する。
【００８４】
このとき、ＦｋＣＡＬＣ≧ＦｋＥであるので、工程Ｃを行う。工程Ｃ１にて、改質触媒層温度Ｔを測定し、このＴに基づいてＦｋＭｉｎＣＡＬＣおよびＦｋＣＡＬＣを算出し、このＦｋＭｉｎＣＡＬＣとＦｋＥの値を比較し、またＦｋＣＡＬＣとＦｋＥの値を比較する。
【００８５】
このとき、ＦｋＭｉｎＣＡＬＣ＜ＦｋＥ＜ＦｋＣＡＬＣであるので、工程Ｃ２にて、改質器に供給する炭化水素系燃料の流量をＦｋＭｉｎＣＡＬＣにし、工程Ｃ１に戻る工程を行なう。停止方法開始前後に改質タイプを変更する場合は、最初に行う工程Ｃ２において、炭化水素系燃料の流量をＦｋ０からＦｋＭｉｎＣＡＬＣにするとともに改質タイプを変更する。
【００８６】
ＦｋＭｉｎＣＡＬＣ＜ＦｋＥ＜ＦｋＣＡＬＣの間、工程Ｃ１〜Ｃ２を繰り返して行なう。しばらくの間、工程Ｃ１〜Ｃ２が繰り返されるが、その間にＦｋＣＡＬＣは時間とともに低下してゆく。
【００８７】
なお、停止方法開始時点からＦｋＣＡＬＣ≦ＦｋＥ、および／または、ＦｋＥ≦ＦｋＭｉｎＣＡＬＣとなるまでの間、改質器に供給する炭化水素系燃料の流量をＦｋＭｉｎＣＡＬＣに設定する（Ｆｋ＝ＦｋＭｉｎＣＡＬＣ）。このため、図２（ｃ）において、この間、ＦｋＭｉｎＣＡＬＣを表す線とＦｋを表す線は重なっている。
【００８８】
図２の場合、ＦｋＭｉｎＣＡＬＣがＦｋＥ以上となるより早く、ＦｋＣＡＬＣがＦｋＥ以下となるため、ＦｋＣＡＬＣがＦｋＥ以下となった時点で、直ちに、ＦｋをＦｋＥにする（工程Ｃ３）。
【００８９】
工程Ｄにおいて、アノード温度が酸化劣化点を下回るのを待つ。
【００９０】
アノード温度が酸化劣化点未満となれば、改質器への炭化水素系燃料の供給を停止して、停止方法を終了する。
【００９１】
ＦｋＣＡＬＣがＦｋＥ以下となる、または、ＦｋＭｉｎＣＡＬＣがＦｋＥ以上となるより早く、アノード温度が酸化劣化点を下回れば、工程Ｃ３は行なわなくてよい。
【００９２】
このように運転することで、ＦｋＣＡＬＣがＦｋＭｉｎＣＡＬＣを下回る可能性を低減し、改質を確実に行ないつつ、最低限必要な流量以上の改質ガスをアノードに供給することができる。
【００９３】
〔ケース２〕
上記ケースでは、ＦｋＭｉｎＣＡＬＣがＦｋＥ以上となるより早く、ＦｋＣＡＬＣがＦｋＥ以下となるため、工程Ｃ３においてＦｋＣＡＬＣがＦｋＥ以下となった時点でＦｋをＦｋＥにする。本ケースでは、ＦｋＣＡＬＣがＦｋＥ以下となるより早く、ＦｋＭｉｎＣＡＬＣがＦｋＥ以上となるため、工程Ｃ３においてＦｋＭｉｎＣＡＬＣがＦｋＥ以上となった時点でＦｋをＦｋＥにする。図３を用いて、このケースについて説明する。
【００９４】
ＦｋＣＡＬＣ≦ＦｋＥとなる、または、ＦｋＥ≦ＦｋＭｉｎＣＡＬＣとなるまでの間は、ケース１と同様である。また、図２と同様、図３においても、ＦｋＣＡＬＣ≦ＦｋＥとなる、または、ＦｋＥ≦ＦｋＭｉｎＣＡＬＣとなるまでの間、ＦｋＭｉｎＣＡＬＣを示す線と、Ｆｋを示す線は重なっている。
【００９５】
図３の場合、ＦｋＣＡＬＣがＦｋＥ以下となるより早く、ＦｋＭｉｎＣＡＬＣがＦｋＥ以上となるため、ＦｋＭｉｎＣＡＬＣがＦｋＥ以上となった時点で、直ちに、ＦｋをＦｋＥにする（工程Ｃ３）。
【００９６】
工程Ｄにおいて、アノード温度が酸化劣化点を下回るのを待つ。
【００９７】
アノード温度が酸化劣化点未満となれば、改質器への炭化水素系燃料の供給を停止して、停止方法を終了する。
【００９８】
ＦｋＣＡＬＣがＦｋＥ以下となる、または、ＦｋＭｉｎＣＡＬＣがＦｋＥ以上となるより早く、アノード温度が酸化劣化点を下回れば、工程Ｃ３は行なわなくてよい。
【００９９】
このように運転することで、ＦｋＣＡＬＣがＦｋＭｉｎＣＡＬＣを下回る可能性を低減し、改質を確実に行ないつつ、最低限必要な流量以上の改質ガスをアノードに供給することができる。
【０１００】
〔ケース３〕
ケース１では、工程Ｃ３においてＦｋＣＡＬＣがＦｋＥ以下となった時点でＦｋを直ちにＦｋＥにする。本ケースでは、ＦｋＣＡＬＣがＦｋＥ以下となった時点でＦｋがＦｋＥより小さい場合に、ＦｋからＦｋＥへの流量増加を徐々に、特には段階的に、行なう。図４を用いて、このケースについて説明する。図７には、Ｆｋを徐々にＦｋＥにする手順をフローチャートの形で示す。
【０１０１】
ＦｋＣＡＬＣ≦ＦｋＥとなる、または、ＦｋＥ≦ＦｋＭｉｎＣＡＬＣとなるまでの間は、ケース１と同様である。また、図２と同様、図４においても、ＦｋＣＡＬＣ≦ＦｋＥとなる、または、ＦｋＥ≦ＦｋＭｉｎＣＡＬＣとなるまでの間、ＦｋＭｉｎＣＡＬＣを示す線と、Ｆｋを示す線は重なっている。
【０１０２】
図２の場合と同様、図４の場合も、ＦｋＭｉｎＣＡＬＣがＦｋＥ以上となるより早く、ＦｋＣＡＬＣがＦｋＥ以下となるため、ＦｋＣＡＬＣ≦ＦｋＥとなった時点で、ＦｋをＦｋＭまで増加させる。ここで、ＦｋＭは、工程Ｃ１にて最後に算出したＦｋＭｉｎＣＡＬＣより大きく、ＦｋＥより小さい、中間的な流量である。
【０１０３】
ＦｋをＦｋＭまで増加させた後、再びＦｋＣＡＬＣ≦ＦｋＥとなるまで、改質触媒層温度Ｔの測定と、このＴを用いた改質可能流量ＦｋＣＡＬＣの算出を継続する。ＦｋをＦｋＭまで増加させた際には、その直後に改質触媒層温度が上昇し（改質器への入熱の増加による）、ＦｋＣＡＬＣは再びＦｋＥを超える値となる。しかし、改質停止可能状態より改質器への入熱が小さいため、その後改質触媒層温度が低下する。再びＦｋＣＡＬＣ≦ＦｋＥとなったら、ＦｋをＦｋＥまで増加させる。その後は、アノード温度が酸化劣化点未満になるまで待って、改質器への炭化水素系燃料の供給を停止すればよい。ＦｋＣＡＬＣの算出は、二回目にＦｋＣＡＬＣ≦ＦｋＥとなった時点で終了してよい。
【０１０４】
上の説明では唯一つの中間的流量を用いたが、その限りではなく、中間的流量を複数採用することもできる。
【０１０５】
つまり、一つもしくは複数個（Ｊ個とする。Ｊは１以上の整数。）の中間的流量ＦｋＭ（ｊ）（ここで、ｊは１≦ｊ≦Ｊを満たす整数）を用い、ただしＦｋＭ（ｊ）＜ＦｋＭ（ｊ＋１）とし、１回目にＦｋＣＡＬＣ≦ＦｋＥとなったらＦｋをＦｋＭ（１）まで増加させ、２回目にＦｋＣＡＬＣ≦ＦｋＥとなったらＦｋをＦｋＭ（２）まで増加させというように、ｊを１ずつ増加させながらｊ回目にＦｋＣＡＬＣ≦ＦｋＥとなった時点でＦｋをＦｋＭ（ｊ）まで増加させ、最後の回（Ｊ＋１回目）にＦｋＣＡＬＣ≦ＦｋＥとなったらＦｋをＦｋＥにすることができる。その後は、アノード温度が酸化劣化点未満になるまで待って、改質器への炭化水素系燃料の供給を停止すればよい。ＦｋＣＡＬＣの算出は、最後の回にＦｋＣＡＬＣ≦ＦｋＥとなった時点で終了してよい。中間的流量のＦｋＭ（ｊ）は、例えば、１回目にＦｋＣＡＬＣ≦ＦｋＥとなったときのＦｋＭｉｎＣＡＬＣとＦｋＥとの間をＪ＋１で当分割した流量を算出し、決めることができる。ただし、流量制御手段のメモリ消費の許容範囲内、かつ、昇圧手段および流量制御・計測手段の精度を超える間隔となる範囲で、できるだけＪを大きくし、ＦｋＭ（ｊ）の間隔を小さくする方が、炭化水素系燃料の流量積算量の低減、すなわち熱効率の観点から好ましい。
【０１０６】
もちろんこのケースでも、アノード温度が酸化劣化点を下回れば、その時点で改質器への炭化水素系燃料の供給を停止し、停止方法を終了することができる。
【０１０７】
ケース３は、ケース１よりも、改質停止までに供給する炭化水素系燃料の量を低減し、停止時間（停止方法開始からアノード温度が酸化劣化点を下回るまでの時間）を短縮することができる。
【０１０８】
〔ケース４〕
図５を用いて、工程Ａで算出したＦｋＣＡＬＣが、改質停止可能状態において改質器に供給される炭化水素系燃料の流量ＦｋＥより小さい場合、すなわちＦｋＣＡＬＣ＜ＦｋＥの場合について説明する。つまり、工程Ｂを行なう場合について説明する。
【０１０９】
停止方法開始後、直ぐに工程Ａを行い、改質触媒層温度Ｔの測定およびこのＴに基づくＦｋＣＡＬＣの算出を行なう。ＦｋＣＡＬＣ＜ＦｋＥなので、工程Ｃは行なわず、工程Ｂを行なう。
【０１１０】
この場合は、図５に示すように、流量ＦｋＥの炭化水素系燃料を改質できるよう、ＦｋＣＡＬＣ≧ＦｋＥとなるまで改質器に付設したバーナやヒータなどの適宜の熱源で改質触媒層を昇温する。
【０１１１】
ＦｋＣＡＬＣ≧ＦｋＥとなったら、改質器に供給する炭化水素系燃料の流量Ｆｋを、Ｆｋ０からＦｋＥにする。停止方法開始前後に改質タイプを変更する場合は、燃料流量をＦｋ０からＦｋＥにするとともに改質タイプを変更する。
【０１１２】
そして、工程Ｄに移り、アノード温度が酸化劣化点を下回るまで待つ。
【０１１３】
アノード温度が酸化劣化点未満となったら、改質器に供給する炭化水素系燃料の流量をゼロにし、停止方法を終了することができる。
【０１１４】
〔ＦｋＣＡＬＣの算出〕
以下、測定された改質触媒層の温度に基づいて、改質触媒層において改質可能な炭化水素系燃料の流量を算出する方法に関して説明する。
【０１１５】
改質触媒層において改質可能な炭化水素系燃料の流量は、その流量の炭化水素系燃料を改質触媒層に供給した場合に、改質触媒層から排出されるガスの組成が、ＳＯＦＣのアノードに供給するに適した組成になる流量をいう。
【０１１６】
例えば、改質触媒層における改質可能流量は、供給した炭化水素系燃料がＣ１化合物（炭素数１の化合物）まで分解されうる流量の最大値以下の任意の流量とすることができる。すなわち、改質触媒層出口ガスにおけるＣ２＋成分（炭素数が２以上の成分）が炭素析出による流路閉塞やアノード劣化に対して問題にならない濃度以下である組成になるまで改質触媒層において改質が進みうる場合の、改質触媒層への炭化水素系燃料の供給流量の最大値以下の任意の流量とすることができる。このときのＣ２＋成分の濃度は、改質ガス中の質量分率として５０ｐｐｂ以下が好ましい。そしてこのとき、改質触媒層出口ガスが還元性になっていればよい。改質触媒層出口ガス中に、メタンが含まれることは許容される。炭化水素系燃料の改質においては、通常、平衡論上メタンが残留する。改質触媒層出口ガス中に、メタン、ＣＯあるいはＣＯ2の形で炭素が含まれていても、必要に応じてスチームを添加することで炭素析出を防止することができる。炭化水素系燃料としてメタンを用いる場合は、改質触媒層出口ガスが還元性になるように、改質が進めばよい。
【０１１７】
改質触媒層出口ガスの還元性については、このガスがアノードに供給されても、アノードの酸化劣化を抑えられる程度であればよい。このために、例えば、改質触媒層出口ガスに含まれる酸化性のＯ2、Ｈ2Ｏ、ＣＯ2などの分圧をアノード電極の酸化反応における平衡分圧より低くすることができる。例えば、アノード電極材料がＮｉで、アノード温度が８００℃のとき、改質触媒層出口ガスに含まれるＯ2分圧を１．２×１０-14ａｔｍ（１．２×１０-9Ｐａ）未満、Ｈ2に対するＨ2Ｏの分圧比を１．７×１０2未満、ＣＯに対するＣＯ2の分圧比を１．８×１０2未満とすることができる。
【０１１８】
改質可能流量は、改質触媒層の温度に依存する。そのため、改質触媒層における改質可能流量の算出は、測定された改質触媒層の温度に基づいて行う。
【０１１９】
改質触媒層における改質可能流量ＦｋＣＡＬＣは、改質触媒層の温度Ｔの関数（温度の関数であることを明示する場合にはＦｋＣＡＬＣ（Ｔ）と表す）として、予め実験により求めることができる。また、実験により求めた関数に安全率を乗じたり、安全側に温度を補正したりしたうえで、改質可能流量とすることもできる。なお、ＦｋＣＡＬＣ（Ｔ）の単位は例えばｍｏｌ／ｓである。
【０１２０】
＜温度測定点が１点である場合＞
・温度測定個所
改質触媒層の温度測定点が一点である場合、改質可能流量の算出に用いる温度の測定個所としては、安全側制御の観点から、好ましくは改質触媒層の中で相対的に温度が低くなる箇所、より好ましくは改質触媒層の中で最も温度が低くなる個所を採用することが好ましい。改質触媒層における反応熱が吸熱である場合、温度測定個所として、触媒層中心付近を選ぶことができる。改質触媒層における反応熱が発熱であり、放熱によって中心部より端部の方が低温になる場合、温度測定個所として、触媒層端部を選ぶことができる。温度が低くなる位置は、予備実験やシミュレーションにより知ることができる。
【０１２１】
改質可能流量ＦｋＣＡＬＣ（Ｔ）は、温度Ｔのみの関数とすることができる。しかしその限りではなく、改質可能流量ＦｋＣＡＬＣは、温度Ｔに加えて、触媒層体積やガス成分の濃度などのＴ以外に変数を持つ関数であってもよい。その場合、改質可能流量ＦｋＣＡＬＣ（Ｔ）を計算する際には、Ｔ以外の変数を適宜求め、Ｔ以外の変数と、測定されたＴとから改質可能流量ＦｋＣＡＬＣ（Ｔ）を計算することができる。
【０１２２】
＜温度測定点が複数点である場合＞
改質可能流量ＦｋＣＡＬＣの算出に用いる温度の測定点は一点である必要はない。より正確に改質触媒層における改質可能流量を算出するためには、温度測定点が２点以上であることが好ましい。例えば、改質触媒層の入口温度と出口温度を測定し、これらを平均した温度を前述の改質触媒層温度Ｔとすることができる。
【０１２３】
あるいは例えば、改質触媒層をＮ分割した領域Ｚi（Ｎは２以上の整数、ｉは１以上Ｎ以下の整数）を考え、各分割領域Ｚiの温度Ｔiを知り、各温度Ｔiから各分割領域における改質可能流量ＦｋＣＡＬＣi（Ｔi）を計算し、それらを積算した値を改質触媒層における改質可能流量ＦｋＣＡＬＣとして計算することができる。
【０１２４】
Ｎ個の分割領域Ｚiを考える場合、全ての分割領域の改質可能流量を積算してもよく、あるいはＮ個の分割領域のうちの一部の分割領域のみ積算した値を改質触媒層における改質可能流量ＦｋＣＡＬＣとして採用してもよい。炭化水素系燃料供給量に応じて、積算対象とする触媒層領域を適宜変えることもできる。
【０１２５】
分割領域Ｚiの温度としては、実際に測定した温度をそのまま用いることもできるが、分割領域の入口温度と出口温度との平均値など、適宜計算した値を代表値として用いることもできる。
【０１２６】
また、全ての分割領域Ｚiについて、温度を測定する必要はない。また触媒層分割数Ｎと温度測定点数は無関係に設定することができる。
【０１２７】
Ｎ個の分割領域のうちの一部について温度を測定し、残りの分割領域については、測定した温度から適宜補完することによって温度を知ることもできる。
【０１２８】
例えば、温度センサーを設置していない分割領域の温度として、その分割領域に最も近い分割領域の温度を用いることができる。最も近い分割領域が二つある場合には、二つのうちのいずれかの分割領域の温度を用いることもできるし、二つの分割領域の温度の平均値を用いることもできる。
【０１２９】
分割領域とは無関係に改質触媒層の複数点（ガス流通方向に相異なる位置にある）の温度を測定し、測定した複数点の温度から、各分割領域の温度を知ることもできる。例えば、改質触媒層の入口および出口の温度を測定し（さらに中間部の任意の個所の温度を測定してもよい）、これら測定温度から最小二乗法等の近似法によって改質触媒層の温度を補間し、その補間曲線から分割領域の温度を知ることができる。
【０１３０】
（改質可能流量算出に用いる温度の測定個所の例）
全ての分割領域の温度を知るために、次のような個所の温度を計測することができる。
・各分割領域の入口および出口。
・各分割領域内部（入口および出口より内側）（１点もしくは複数点）。
・各分割領域の入口、出口および内部（一つの分割領域について１点もしくは複数点）。
【０１３１】
一部の分割領域の温度を知るために、次のような個所の温度を計測することができる。
・一部の分割領域の入口および出口。
・一部の分割領域内部（入口および出口より内側）（１点もしくは複数点）。
・一部の分割領域の入口、出口および内部（一つの分割領域について１点もしくは複数点）。
【０１３２】
〔ＦｋＭｉｎＣＡＬＣの算出〕
以下、測定された改質触媒層の温度に基づいて、改質触媒層において流量がＦｒＭｉｎである改質ガスを改質器で生成可能な炭化水素系燃料の流量ＦｋＭｉｎＣＡＬＣを算出する方法に関して説明する。
【０１３３】
流量がＦｒＭｉｎの改質ガスを改質器で生成可能な炭化水素系燃料の流量は、改質ガスの流量がちょうどＦｒＭｉｎとなる流量をいう。
【０１３４】
ＦｋＭｉｎＣＡＬＣは、改質触媒層の温度に依存する。そのため、ＦｋＭｉｎＣＡＬＣは、測定された改質触媒層の温度に基づいて行う。
【０１３５】
ＦｋＭｉｎＣＡＬＣは、予め平衡計算、または予備実験により、改質触媒層の温度とＦｋＭｉｎＣＡＬＣの関係式を知り、測定された改質触媒層の温度Ｔをその関係式に代入して計算することができる。なお、ＦｋＭｉｎＣＡＬＣの単位は例えばｍｏｌ／ｓである。
【０１３６】
改質可能流量ＦｋＭｉｎＣＡＬＣは、温度Ｔのみの関数とすることができる。しかしその限りではなく、改質可能流量ＦｋＣＡＬＣは、温度Ｔに加えて、圧力、ガス成分の濃度などのＴ以外に変数を持つ関数であってもよい。その場合、改質可能流量ＦｋＭｉｎＣＡＬＣを計算する際には、Ｔ以外の変数を適宜求め、Ｔ以外の変数と、測定されたＴとから改質可能流量ＦｋＭｉｎＣＡＬＣを計算することができる。
【０１３７】
ＦｋＭｉｎＣＡＬＣの算出に用いる温度の測定個所としては、正確さの観点から、改質触媒層出口が好ましい。
【０１３８】
〔その他〕
停止方法開始前後で同じタイプの改質を行ってもよいが、異なるタイプの改質を行ってもよい。例えば、停止方法開始前に水蒸気改質を行い、停止方法を開始してからはオートサーマルリフォーミングを行うことができる。また、停止方法開始前に水蒸気改質を行い、停止方法を開始してからは部分酸化改質を行うことができる。
【０１３９】
炭化水素系燃料の流量ＦｋをＦｋＥにする際に、必要に応じ、これにあわせて改質器に供給する水蒸気改質もしくは自己熱改質用の水（スチームを含む）の流量、自己熱改質または部分酸化改質用の空気流量、カソード空気流量、バーナーに供給する燃料および空気流量、熱交換器に供給する水や空気などの流体の流量などの、間接内部改質型ＳＯＦＣに供給する流体の流量、改質器および水や液体燃料の蒸発器、流体の供給配管などを加熱するための電気ヒータ出力、熱電変換モジュールなどから取り出される電気入力などの、間接内部改質型ＳＯＦＣへの電気の入出力を、予め定めた改質停止可能状態における操作条件にすることができる。すなわち、予め定めた改質停止可能状態における間接内部改質型ＳＯＦＣの操作条件に設定することができる。
【０１４０】
上記以外の流量変更の際にも、例えば、工程Ｃ３で、ＦｋをＦｋＭもしくはＦｋＭ（ｊ）にする際、また、改質タイプを切り替える際にも、上記と同様必要に応じて、これにあわせて間接内部改質型ＳＯＦＣに供給する流体の流量、間接内部改質型ＳＯＦＣへの電気の入出力を、予め定めた操作条件にすることができる。例えば、改質器に供給する水流量については、炭素析出抑制のため、スチーム／カーボン比（改質触媒層に供給されるガス中の炭素原子モル数に対する水分子モル数の比）が所定の値を維持するよう、燃料流量の増加に伴い水流量を変更することができる。改質器に供給する空気流量については、酸素／カーボン比（改質触媒層に供給されるガス中の炭素原子モル数に対する酸素分子モル数の比）が所定の値を維持するよう、燃料流量の変更に伴い空気流量を変更させることができる。また、カソード空気流量、バーナーに供給する燃料および空気流量、熱交換器に供給する水や空気などの流体の流量などの、間接内部改質型ＳＯＦＣに供給する流体の流量や、改質器および水や液体燃料の蒸発器、流体の供給配管などを加熱するための電気ヒータ出力、熱電変換モジュールなどから取り出される電気入力などの、間接内部改質型ＳＯＦＣへの電気の入出力を、予め定めた改質停止可能状態における操作条件にする、あるいはＦｋＭもしくはＦｋＭ（ｊ）のＦｋＥに対する比率を乗じた操作条件にすることができる。
【０１４１】
水蒸気改質反応を行う場合、つまり水蒸気改質もしくはオートサーマルリフォーミングを行う場合には、改質触媒層にスチームを供給する。部分酸化改質反応を行う場合、つまり部分酸化改質もしくはオートサーマルリフォーミングを行う場合には、改質触媒層に酸素含有ガスを供給する。酸素含有ガスとしては、酸素を含有するガスを適宜用いることができるが、入手容易性から空気が好ましい。
【０１４２】
本発明は、炭化水素系燃料の炭素数が２以上の場合に特に有効である。このような燃料の場合、特に、確実な改質が求められるからである。
【０１４３】
ＦｋＣＡＬＣの算出等、本発明の方法を行なうために、コンピュータ等の演算手段を含めて適宜の計装制御機器を使用することができる。
【０１４４】
〔炭化水素系燃料〕
炭化水素系燃料としては、改質ガスの原料としてＳＯＦＣの分野で公知の、分子中に炭素と水素を含む（酸素など他の元素を含んでもよい）化合物もしくはその混合物から適宜選んで用いることができ、炭化水素類、アルコール類など分子中に炭素と水素を有する化合物を用いることができる。例えばメタン、エタン、プロパン、ブタン、天然ガス、ＬＰＧ（液化石油ガス）、都市ガス、ガソリン、ナフサ、灯油、軽油等の炭化水素燃料、また、メタノール、エタノール等のアルコール、ジメチルエーテル等のエーテル等である。
【０１４５】
なかでも灯油やＬＰＧは、入手容易であり好ましい。また独立して貯蔵可能であるため、都市ガスのラインが普及していない地域において有用である。さらに、灯油やＬＰＧを利用したＳＯＦＣ発電装置は、非常用電源として有用である。特には、取り扱いも容易である点で、灯油が好ましい。
【０１４６】
〔改質器〕
改質器は、炭化水素系燃料から水素を含む改質ガスを製造する。
【０１４７】
改質器においては、水蒸気改質、部分酸化改質、および、水蒸気改質反応に部分酸化反応が伴うオートサーマルリフォーミングのいずれを行うこともできる。
【０１４８】
改質器には、水蒸気改質能を有する水蒸気改質触媒、部分酸化改質能を有する部分酸化改質触媒、部分酸化改質能と水蒸気改質能とを併せ持つ自己熱改質触媒を適宜用いることができる。
【０１４９】
改質器の構造は、改質器として公知の構造を適宜採用できる。例えば、密閉可能な容器内に改質触媒を収容する領域を有し、改質に必要な流体の導入口と改質ガスの排出口を有する構造とすることができる。
【０１５０】
改質器の材質は、改質器として公知の材質から、使用環境における耐性を考慮して適宜選んで採用できる。
【０１５１】
改質器の形状は、直方体状や円管状など適宜の形状とすることができる。
【０１５２】
炭化水素系燃料（必要に応じて予め気化される）および水蒸気、さらに必要に応じて空気等の酸素含有ガスをそれぞれ単独で、もしくは適宜混合した上で改質器（改質触媒層）に供給することができる。また、改質ガスはＳＯＦＣのアノードに供給される。
【０１５３】
〔ＳＯＦＣ〕
改質器から得られる改質ガスが、ＳＯＦＣのアノードに供給される。一方、ＳＯＦＣのカソードには空気などの酸素含有ガスが供給される。発電時には、発電に伴いＳＯＦＣが発熱し、その熱がＳＯＦＣから改質器へと、輻射伝熱などにより伝わる。こうしてＳＯＦＣ排熱が改質器を加熱するために利用される。ガスの取り合い等は適宜配管等を用いて行う。
【０１５４】
ＳＯＦＣとしては、公知のＳＯＦＣを適宜選んで採用できる。ＳＯＦＣでは、一般的に、酸素イオン導電性セラミックスもしくはプロトンイオン導電性セラミックスが電解質として利用される。
【０１５５】
ＳＯＦＣは単セルであってもよいが、実用上は複数の単セルを配列させたスタック（円筒型の場合はバンドルと呼ばれることもあるが、本明細書でいうスタックはバンドルも含む）が好ましく用いられる。この場合、スタックは１つでも複数でもよい。
【０１５６】
ＳＯＦＣの形状も、立方体状スタックに限らず、適宜の形状を採用できる。
【０１５７】
例えば４００℃程度でアノードの酸化劣化が起きることがある。
【０１５８】
〔筐体〕
筐体（モジュール容器）としては、ＳＯＦＣ、改質器および燃焼領域を収容可能な適宜の容器を用いることができる。その材料としては、例えばステンレス鋼など、使用する環境に耐性を有する適宜の材料を用いることができる。容器には、ガスの取り合い等のために、適宜接続口が設けられる。
【０１５９】
モジュール容器の内部と外界（大気）とが連通しないように、モジュール容器が気密性を持つことが好ましい。
【０１６０】
〔燃焼領域〕
燃焼領域は、ＳＯＦＣのアノードから排出されるアノードオフガスを燃焼可能な領域である。例えば、アノード出口を筐体内に開放し、アノード出口近傍の空間を燃焼領域とすることができる。酸素含有ガスとして例えばカソードオフガスを用いてこの燃焼を行なうことができる。このために、カソード出口を筐体内に開放することができる。
【０１６１】
燃焼用燃料もしくはアノードオフガスを燃焼させるために、イグナイターなどの着火手段を適宜用いることができる。
【０１６２】
〔改質触媒〕
改質器で用いる水蒸気改質触媒、部分酸化改質触媒、自己熱改質触媒のいずれも、それぞれ公知の触媒を用いることができる。水蒸気改質触媒の例としてはルテニウム系およびニッケル系触媒、部分酸化改質触媒の例としては白金系触媒、自己熱改質触媒の例としてはロジウム系触媒を挙げることができる。水蒸気改質を行う場合には、水蒸気改質機能を持つ自己熱改質触媒を用いることもできる。
【０１６３】
部分酸化改質反応が進行可能な温度は例えば２００℃以上、水蒸気改質反応もしくは自己熱改質反応が進行可能な温度は例えば４００℃以上である。
【０１６４】
〔改質器の運転条件〕
以下、水蒸気改質、自己熱改質、部分酸化改質のそれぞれにつき、改質器における停止運転時の条件について説明する。
【０１６５】
水蒸気改質では、灯油等の改質原料にスチームが添加される。水蒸気改質の反応温度は例えば４００℃〜１０００℃、好ましくは５００℃〜８５０℃、さらに好ましくは５５０℃〜８００℃の範囲で行うことができる。反応系に導入するスチームの量は、炭化水素系燃料に含まれる炭素原子モル数に対する水分子モル数の比（スチーム／カーボン比）として定義され、この値は好ましくは１〜１０、より好ましくは１．５〜７、さらに好ましくは２〜５とされる。炭化水素系燃料が液体の場合、この時の空間速度（ＬＨＳＶ）は炭化水素系燃料の液体状態での流速をＡ（Ｌ／ｈ）、触媒層体積をＢ（Ｌ）とした場合Ａ／Ｂで表すことができ、この値は好ましくは０．０５〜２０ｈ-1、より好ましくは０．１〜１０ｈ-1、さらに好ましくは０．２〜５ｈ-1の範囲で設定される。
【０１６６】
自己熱改質ではスチームの他に酸素含有ガスが改質原料に添加される。酸素含有ガスとしては純酸素でも良いが入手容易性から空気が好ましい。平衡計算を行い、オーバーオールの反応熱が発熱となるように酸素含有ガスを添加することができる。酸素含有ガスの添加量は、炭化水素系燃料に含まれる炭素原子モル数に対する酸素分子モル数の比（酸素／カーボン比）として好ましくは０．００５〜１、より好ましくは０．０１〜０．７５、さらに好ましくは０．０２〜０．６とされる。自己熱改質反応の反応温度は例えば４００℃〜１０００℃、好ましくは４５０℃〜８５０℃、さらに好ましくは５００℃〜８００℃の範囲で設定される。炭化水素系燃料が液体の場合、この時の空間速度（ＬＨＳＶ）は、好ましくは０．０５〜２０-1、より好ましくは０．１〜１０-1、さらに好ましくは０．２〜５-1の範囲で選ばれる。反応系に導入するスチームの量は、スチーム／カーボン比として好ましくは１〜１０、より好ましくは１．５〜７、さらに好ましくは２〜５とされる。
【０１６７】
部分酸化改質では酸素含有ガスが改質原料に添加される。酸素含有ガスとしては純酸素でも良いが入手容易性から空気が好ましい。反応を進めるための温度を確保するため、熱のロス等において適宜添加量は決定される。その量は、炭化水素系燃料に含まれる炭素原子モル数に対する酸素分子モル数の比（酸素／カーボン比）として好ましくは０．１〜３、より好ましくは０．２〜０．７とされる。部分酸化反応の反応温度は、例えば４５０℃〜１０００℃、好ましくは５００℃〜８５０℃、さらに好ましくは５５０℃〜８００℃の範囲で設定することができる。炭化水素系燃料が液体の場合、この時の空間速度（ＬＨＳＶ）は、好ましくは０．１〜３０-1の範囲で選ばれる。反応系においてすすの発生を抑制するためにスチームを導入することができ、その量は、スチーム／カーボン比として好ましくは０．１〜５、より好ましくは０．１〜３、さらに好ましくは１〜２とされる。
【０１６８】
〔他の機器〕
間接内部改質型ＳＯＦＣの公知の構成要素は、必要に応じて適宜設けることができる。具体例を挙げれば、液体を気化させる気化器、各種流体を加圧するためのポンプ、圧縮機、ブロワなどの昇圧手段、流体の流量を調節するため、あるいは流体の流れを遮断／切り替えるためのバルブ等の流量調節手段や流路遮断／切り替え手段、熱交換・熱回収を行うための熱交換器、気体を凝縮する凝縮器、スチームなどで各種機器を外熱する加熱／保温手段、炭化水素系燃料（改質原料）や燃焼用燃料の貯蔵手段、計装用の空気や電気系統、制御用の信号系統、制御装置、出力用や動力用の電気系統、燃料中の硫黄分濃度を低減する脱硫器などである。
【産業上の利用可能性】
【０１６９】
本発明は、例えば定置用もしくは移動体用の発電装置やコージェネレーションシステムに利用される間接内部改質型ＳＯＦＣに適用できる。
【図面の簡単な説明】
【０１７０】
【図１】本発明を適用することのできる間接内部改質型ＳＯＦＣの概要を示す模式図である。
【図２】本発明の方法を説明するための概念的グラフであり、（ａ）は経過時間と改質ガス流量の関係、（ｂ）は経過時間と温度の関係、（ｃ）は経過時間と炭化水素系燃料流量の関係を示す。
【図３】本発明の方法を説明するための概念的グラフであり、（ａ）は経過時間と改質ガス流量の関係、（ｂ）は経過時間と温度の関係、（ｃ）は経過時間と炭化水素系燃料流量の関係を示す。
【図４】本発明の方法を説明するための概念的グラフであり、（ａ）は経過時間と改質ガス流量の関係、（ｂ）は経過時間と温度の関係、（ｃ）は経過時間と炭化水素系燃料流量の関係を示す。
【図５】本発明の方法を説明するための概念的グラフであり、（ａ）は経過時間と改質ガス流量の関係、（ｂ）は経過時間と温度の関係、（ｃ）は経過時間と炭化水素系燃料流量の関係を示す。
【図６】本発明の方法を説明するためのフローチャートである。
【図７】本発明の方法を説明するためのフローチャートである。
【符号の説明】
【０１７１】
１  水気化器
２  水気化器に付設された電気ヒータ
３  改質器
４  改質触媒層
５  燃焼領域
６  ＳＯＦＣ
７  イグナイター
８  筐体（モジュール容器）
９  改質器に付設された電気ヒータ
【図１】
2010153098.tif 000004
【図２】
2010153098.tif 000005
【図３】
2010153098.tif 000006
【図４】
2010153098.tif 000007
【図５】
2010153098.tif 000008
【図６】
2010153098.tif 000009
【図７】
2010153098.tif 000010